(57)【要約】  【課題】受診者の精密検査の予約忘れに起因する受診漏れを防ぐ検診予約システムを提供する。  【解決手段】検診レポートシステム４から要精密検査情報の入力を受付ける要精密検査情報受付部１１ａと、精密検査を行う医療機関の検査スケジュールが格納されたスケジュール格納部２０と、スケジュール格納部２０を参照して精密検査の予約が入っていない時間を検索し、その時間に仮予約を行う旨を示す仮予約情報を生成する仮予約情報生成部１１ｂと、前記仮予約情報を医療機関に対して送信する仮予約部１１ｃと、前記医療機関が前記仮予約を認めた場合に、仮予約が完了したことを示す仮予約済情報を受診者に対して通知する通知部１１ｄと、を備える。【選択図】図２
2006260251.tif 000002
【特許請求の範囲】
【請求項１】
検診レポートシステムから精密検査の受診者及び精密検査の種類を示す要精密検査情報の入力を受付ける要精密検査情報受付手段と、
精密検査を行う少なくとも一つの医療機関の検査スケジュールが格納されたスケジュール格納手段と、
前記要精密検査情報受付手段が要精密検査情報の入力を受け付けると、前記スケジュール格納手段を参照して精密検査の予約が入っていない時間を検索し、その時間に前記要精密検査情報に含まれる精密検査の仮予約を行う旨を示す仮予約情報を生成する仮予約情報生成手段と、
前記仮予約情報を前記精密検査の仮予約を行う医療機関に対して送信する仮予約手段と、
前記医療機関が前記仮予約を認めた場合に、仮予約が完了したことを示す仮予約済情報を医師又は受診者の少なくとも一方に対して通知する通知手段と、
を備えることを特徴とする検診予約システム。
【請求項２】
前記精密検査の受診者が、前記精密検査の受診を希望する医療機関を示す希望医療機関情報を格納する希望医療機関格納手段を更に備え、
前記仮予約手段は、前記希望医療機関格納手段及び前記スケジュール格納手段を参照し、前記受診者が前記精密検査の受診を希望する医療機関に対して前記仮予約情報を送信する、
ことを特徴とする請求項１に記載の検診予約システム。
【発明の詳細な説明】
【技術分野】
【０００１】
本発明は、検診予約システムに係り、特に、第一次検診で異常が発見された場合に精密検査を行うための検診予約システムに関する。
【背景技術】
【０００２】
従来、様々な検診予約システムが発明されている。
【０００３】
特許文献１には、ネット網に接続された受診者端末に医療機関リストを送信し、この医療機関リストから所定の医療機関を選択することができる医療機関の予約方法が開示されている。これにより、医療機関リストが更新された場合にも、最新の医療機関リストから所望する医療機関を選択して検診の予約を行なうことができる。また、特許文献２には、医療機器の利用可能な時間帯及び検査技師の勤務可能な時間帯を格納し、医療機器の予約可能な時間を決定する予約システムが開示されている。これにより、医療検査機器を操作する検査技師のスケジュールを考慮して医療機器の予約を行なうことができる。
【特許文献１】特開２００２−１９７１９９号公報
【特許文献２】特開平５−１９７７６８号公報
【発明の開示】
【発明が解決しようとする課題】
【０００４】
集団検診や人間ドックなどの第一次検診で異常が見つかった場合、受診者に要精密検査の通知が行き、後日受診者自身が精密検査の予約を行っている。そのため、受診者が精密検査の予約を忘れることに起因する検診漏れの問題があった。特許文献１は、受診者が医療機関を選択することができるが、受診者が精密検査の予約を忘れることによる受診漏れを防ぐことができなかった。また、上記特許文献２は、検査技師の都合を考慮した検診予約システムであっため、受診者の都合は反映されなかった。
【０００５】
本発明は、上記の問題に鑑みて成されたものであり、受診者の精密検査の予約忘れに起因する受診漏れを防ぐ検診予約システムを提供することを目的とする。
【課題を解決するための手段】
【０００６】
前記目的を達成するために、本発明に係る検診予約システムは、検診レポートシステムから精密検査の受診者及び精密検査の種類を示す要精密検査情報の入力を受付ける要精密検査情報受付手段と、精密検査を行う少なくとも一つの医療機関の検査スケジュールが格納されたスケジュール格納手段と、前記要精密検査情報受付手段が要精密検査情報の入力を受け付けると、前記スケジュール格納手段を参照して精密検査の予約が入っていない時間を検索し、その時間に前記要精密検査情報に含まれる精密検査の仮予約を行う旨を示す仮予約情報を生成する仮予約情報生成手段と、前記仮予約情報を前記精密検査の仮予約を行う医療機関に対して送信する仮予約手段と、前記医療機関が前記仮予約を認めた場合に、仮予約が完了したことを示す仮予約済情報を医師または受診者の少なくとも一方に対して通知する通知手段と、を備える。
【０００７】
また、前記精密検査の受診者が、前記精密検査の受診を希望する医療機関を示す希望医療機関情報を格納する希望医療機関格納手段を更に備え、前記仮予約手段は、前記希望医療機関格納手段及び前記スケジュール格納手段を参照し、前記受診者が前記精密検査の受診を希望する医療機関に対して前記仮予約情報を送信する。
【発明の効果】
【０００８】
本発明によれば、検診レポートシステムに要精密検査情報が入力されると自動的に精密検査の仮予約がされるため、受診者の精密検査の予約忘れに起因する受診漏れを防ぐことができる。更に、受診者が希望する医療機関がある場合には、希望する医療機関に精密検査の仮予約を行うことができ、受診者の便宜を図ることができる。
【発明を実施するための最良の形態】
【０００９】
以下、添付図面に従って本発明に係る検診予約システムの好ましい実施の形態について詳説する。なお、発明の実施の形態を説明するための全図において、同一機能を有するものは同一符号を付け、その繰り返しの説明は省略する。
【００１０】
図１は、発明の一実施の形態に係る検診予約システムの構成を示すハードウェア構成図である。
【００１１】
図１の検診予約システム１は、精密検査の仮予約を行う検査予約装置１０と、精密検査を行うことができる医療機関Ａ、Ｂの検査スケジュールが格納された検査スケジュールＤＢ２０と、精密検査の受診者に関する情報が格納された受診者情報ＤＢ２５と、を備え、検査予約装置１０と検査スケジュールＤＢ２０と受信者情報ＤＢ２５とは、院内ＬＡＮ５により互いに接続される。院内ＬＡＮ５には、医用画像撮影装置２と、血液検査や組織検査などを行う検査装置３と、医用画像や検査装置３の検査結果に基づいて検診レポートを作成する検診レポートシステム４とが、更に接続される。ＬＡＮ５は、インターネットや専用回線などの通信ネットワーク６に接続される。通信ネットワーク６には、精密検査を行うことができる医療機関Ａ、Ｂの院内システム２１、２２及び精密検査の受診者が操作する受診者端末装置３０が接続される。
【００１２】
検査スケジュールＤＢ２０は、各医療機関及び検査種類の予約状況を示す検査スケジュールが格納される。本実施の形態においては、検査スケジュールＤＢ２０は、医療機関Ａ、Ｂの院内システム２１、２２から検査スケジュール情報を取得し、複数の医療機関の検査スケジュール情報を一元管理するデータベースとして構成したが、検査スケジュールＤＢ２０は、院内システム２１，２２に各々備え、検査予約装置１０が、精密検査を行う度に院内システム２１，２２に問い合わせるように構成しても良い。
【００１３】
受診者情報ＤＢ２５は、受診者の氏名、住所、受診者端末装置３０の電子メールアドレス、検診レポート、受診者が希望する精密検査の受診医療機関の名称などが格納される。
【００１４】
医用画像撮影装置２は、Ｘ線ＣＴ装置、ＭＲ装置、ＵＳ装置、Ｘ線装置、核医学装置など、被検体の画像を撮影可能な装置により構成される。
【００１５】
検査予約装置１０は、主として各構成要素の動作を制御する中央処理装置（ＣＰＵ）１１、装置の制御プログラムが格納されたり、プログラム実行時の作業領域となったりする主メモリ１２、オペレーティングシステム（ＯＳ）、周辺機器のデバイスドライブ、後述する検査予約処理等を行うためのプログラムを含む各種アプリケーションソフト等が格納される磁気ディスク１３、表示用データを一時記憶する表示メモリ１４、この表示メモリ１４からのデータに基づいて画像を表示するＣＲＴモニタや液晶モニタ等のモニタ１５、キーボード１６、位置入力装置としてのマウス１７、マウス１７の状態を検出してモニタ１５上のマウスポインタの位置やマウス１７の状態等の信号をＣＰＵ１１に出力するコントローラ１７１と、プリンタ１８と、ＬＡＮ５に接続するための通信インターフェース（Ｉ／Ｆ）１９とを備え、上記各構成要素は共通バスにより互いに接続される。
【００１６】
次に、図２に基づいて検査予約装置１０のＣＰＵ１１が実行するプログラムについて説明する。図２は、上記プログラムの構成を示すブロック図である。
【００１７】
ＣＰＵ１１は、プログラムである要精密検査情報受付部１１ａと、仮予約情報生成部１１ｂと、仮予約部１１ｃと、通知部１１ｄとを実行する。要精密検査情報受付部１１ａは、検診レポートシステム４からＬＡＮ５を介して要精密検査情報を受信する。仮予約情報生成部１１ｂは、要精密検査情報の受信があると、受診者情報ＤＢ２５を参照し、要精密検査の受診者が、精密検査の受診を希望する医療機関名を抽出する。そして、検査スケジュールＤＢ２０に格納されたその医療機関名のスケジュールを参照し、仮予約情報を生成する。仮予約部１１ｃは、仮予約情報を精密検査の仮予約を行う医療機関に通知し、仮予約を行なう。通知部１１ｄは、仮予約が完了したことを示す仮予約済情報を受診者（受診者端末装置３０）又は医師（図示しない医師用端末装置）の少なくとも一人に通知する。通知はプリンタ１８で仮予約済み情報を紙に打ち出し、医師や受診者におくってもよい。これらのプログラムは、磁気ディスク１３に格納され、ＣＰＵ１１が適宜主メモリ１２に読み出して実行する。
【００１８】
次に図３に基づいて、検査スケジュールＤＢ２０及び受診者情報ＤＢ２５に格納される検査スケジュールテーブル及び受診者情報テーブルの例を説明する。
【００１９】
図３（ａ）は、検査スケジュールＤＢ２０に格納される検査スケジュールテーブル２０Ａの例を示す。検査スケジュールテーブル２０Ａは、「医療機関名レコード」、「検査種類レコード」、及び「日時レコード」を備え、各医療機関の検査種類毎に所定の日時の予約状況が格納される。
【００２０】
図３（ｂ）は、受診者情報ＤＢ２５に格納される受診者情報テーブル２５Ａの例を示す。受診者情報テーブル２５Ａは、「氏名レコード」、「住所レコード」、「電子メールアドレス」、「検診No. コード」、及び「希望医療機関名」を備え、受診者の氏名、住所、受診者が操作する受診者端末装置３０（例えば受診者が所有する携帯電話、パソコン）の電子メールアドレスが精密検査の受診を希望する医療機関名、検診結果のレポートを一義的に特定するための検診No.が格納される。
【００２１】
図４は、医用画像の読影医が操作する読影医画面及び要精密検査の検診レポートの例を示す。本実施の形態では、上記検診レポートシステム４を、Ｘ線ＣＴ装置２が撮影した画像に基づいて読影医が検診レポートを作成する検診レポートシステムにより構成する。
【００２２】
図４（ａ）は、この検診レポートシステムにおいて表示される画面表示例４０であって、読影医が判断した内容をチェックして選ぶチェックリスト４１と、精密検査が必要であると判断した場合に要精密検査情報を入力するための「要精密検査アイコン」４２とが表示される。読影医は、医用画像を見た結果、肺がんの疑いがあると判断すると、チェックリスト４１の「肺がんの疑い」にチェックをする。そして、要精密検査アイコン４２をクリックし、要精密検査情報を入力する。
【００２３】
図４（ｂ）は、この検診レポートシステムにより作成される検診レポート例を示す図である。検診レポートは、医療者向けの検診レポート４５と受診者向けの検診レポート４６の二種類が作成される。医療者向けの検診レポート４５と受診者向けの検診レポート４６には、受診者情報テーブル２５Ａの「検診No. 」レコードに格納された「検診No. 」が記載される。受診者向けの検診レポートには、精密検査の仮予約情報４７及び検査当日までの過ごし方が記載される。受診者は仮予約情報４７の記載内容を見て、仮予約の内容どおりでよければ本予約の通知を仮予約先の医療機関に通知する。また、仮予約の日時や場所を変更する場合にも仮予約の内容変更や取消を行う。
【００２４】
次に図５に基づいて、本実施の形態にかかる検診予約処理について説明する。図５は、本実施の形態にかかる検診予約処理の手順を示すフローチャートである。以下図５のステップ順に説明する。
【００２５】
（ステップＳ５０１）
読影医は、医用画像を見て精密検査が必要であると判断した場合に要精密検査アイコン４２をクリックする（Ｓ５０１）。検診レポートシステム４は、要精密検査アイコン４２がクリックされると要精密検査情報を検査予約装置１０に送信する。要精密検査情報には、受診者の氏名、精密検査の種類を示す内容が含まれる。検診予約装置１０の要精密検査情報受付部１１ａは、要精密検査情報を受信する。
【００２６】
（ステップＳ５０２）
仮予約情報生成部１１ｂは、受診者情報ＤＢ２５を検索し、受信した要精密検査情報に含まれる受診者が希望する医療機関名を抽出する（Ｓ５０２）。
なお、このステップは必須ではなく、受診者の希望する医療機関名を登録していない場合には、本ステップを省略してもよい。
【００２７】
（ステップＳ５０３）
仮予約情報生成部１１ｂは、検査スケジュールＤＢ２０を参照し、Ｓ５０２で抽出した医療機関名のスケジュールに基づいて精密検査の仮予約が可能な日時を決め、その医療機関名、精密検査の種類、日時を示す情報を含む仮予約情報を生成する（Ｓ５０３）。なお、Ｓ５０２を省略する場合には、受診者情報ＤＢ２５を検索し、受診者の住所地に近い医療機関を抽出したり、受診者情報ＤＢを検索することなく直接検査スケジュールＤＢ２０を検索し、仮予約が可能な医療機関や日時を決定したりしても良い。
【００２８】
（ステップＳ５０４）
仮予約部１１ｃは、仮予約情報を仮予約先の医療機関に通知し、精密検査の仮予約を行う（Ｓ５０４）。この通知は、仮予約部１１ｃが通信Ｉ／Ｆ１９を介して医療機関Ａ、Ｂの院内システム２１，２２に仮予約情報を送信することにより行なう。これらの医療機関Ａ，Ｂは、仮予約情報を受信し、仮予約を受けるか否かの情報を検査予約装置１０に返信する。仮予約部１１ｃが、仮予約を受ける旨の情報と受信すると仮予約が成立する。仮予約部１１ｃが、仮予約を受けない旨の情報を受信すると、再度仮予約情報生成部１１ｂが検査スケジュールＤＢ２０を検索し、他の日時または他の医療機関に仮予約が可能な日時を検索する。仮予約情報及び仮予約を受けるまたは受けない旨の情報の送受信は、電子メールなどの電子媒体により行なう。
【００２９】
（ステップＳ５０５）
通知部１１ｄは、仮予約情報を受診者及び精密検査を行う医師に通知する（Ｓ５０５）。受診者に対する通知は、通知部１１ｄが受診者情報ＤＢ２５から受診者の電子アドレスを取得し、通信Ｉ／Ｆ１９を介して受診者端末３０に仮予約済情報を記載した電子メールを送信することにより行なう。この電子メールには、精密検査のための注意書きを記述しても良い。医師に対する通知は、医療機関Ａ、Ｂの院内システム２１，２２に仮予約済情報を記載した電子メールを送信することにより行なう。仮予約済情報を受信した医師は、精密検査に向けて準備、例えばカルテの検索、作成、移送を行なう。通知は、上記電子メールのほか、通知部１１ｄがプリンタ１８に仮予約済情報を紙出力し、これを受診者及び医師に郵送することにより行なっても良い。または、通知部１１ｄは、仮予約済情報を検診レポートシステム４に送信し、検診レポートシステム４が出力する検診レポート４５，４６に仮予約済情報４７を記載しても良い。
【００３０】
受診者は、検診レポート４６または仮予約済情報４７を記載した電子メールを見て、自分の都合を考慮し、仮予約の受諾または変更をすればよい。
【００３１】
本実施形態では、検診レポートシステム４は医用画像の読影結果検診レポートを作成するシステムとして構成されたが、検査装置３において異常値が検出されると検査装置３から要精密検査情報を自動的に検診予約装置１０に送信して、仮予約処理を開始するように構成してもよい。また、精密検査の要否は、検診で行われる問診結果に基づいて判断されてもよい。この場合、問診した医師が要精密検査情報を入力することにより仮予約処理を開始させてもよい。
【図面の簡単な説明】
【００３２】
【図１】発明の一実施の形態に係る検診予約システムの構成を示すハードウェア構成図
【図２】検診予約システム１のシステム構成を説明するためのブロック図
【図３】検査スケジュールテーブル及び受診者情報テーブルの例を説明する模式図
【図４】医用画像の読影医が操作する読影医画面及び要精密検査の検診レポートの例を説明する模式図
【図５】検診予約処理の流れを示すフローチャート
【符号の説明】
【００３３】
１…検診予約システム、２…医用画像撮影装置、３…検査装置、４…検診レポートシステム、５…ＬＡＮ、６…通信ネットワーク、１０…検査予約装置、１１…ＣＰＵ、１２…主メモリ、１３…磁気ディスク、１４…表示メモリ、１５…モニタ、１６…キーボード、１７…マウス、１７１…コントローラ、１８…プリンタ、１９…通信Ｉ／Ｆ、２０…検査スケジュールＤＢ、２１…院内システム、２３…院内システム、３０…受診者端末
【図１】
2006260251.tif 000003
【図２】
2006260251.tif 000004
【図３】
2006260251.tif 000005
【図４】
2006260251.tif 000006
【図５】
2006260251.tif 000007